(57)【要約】【課題】飛び散った屑がケーシング内に侵入してその内部のデバイスの運転を妨げることがなく、全体のメンテナンスが容易になる上、その使用寿命が向上される刈り取り装置を提供する。【解決手段】前端面に開口２３があって、その内部に収納部２１を有するケーシング２と、ケーシング２内に収納されており、且つその外側端３１Ａが開口２３を通してケーシング２外へ延伸している回転軸３１を有する駆動機構３と、回転軸３１の外側端３１Ａに設けられていて回転軸３１と同時に回転できる回転台座４と、回転台座４の前面に取り付けられている刃物５とを備えた刈り取り装置において、回転台座４は、その後周縁近くから後方へケーシング２の開口２３端を周辺から遮蔽して保護するように延設されている環状の保護ベーン４４を更に備えたことを特徴とする刈り取り装置。【選択図】図２
0003112515.tif 000002
【実用新案登録請求の範囲】
【請求項１】
前端面に開口があって、その内部に収納部を有するケーシングと、前記ケーシング内に収納されており、且つその外側端が前記開口を通して前記ケーシング外へ延伸している回転軸を有する駆動機構と、前記回転軸の前記外側端に設けられていて前記回転軸と同時に回転できる回転台座と、前記回転台座の前面に取り付けられている刃物とを備えた刈り取り装置において、
前記回転台座は、その後周縁近くから後方へ前記ケーシングの前記開口端を周辺から遮蔽して保護するように延設されている環状の保護ベーンを更に備えたことを特徴とする刈り取り装置。
【請求項２】
前記回転台座は、更に、その後周縁近くから後方へ、前記開口の内周面に沿って挿入されるように延設されている環状のインサートベーンを備えたことを特徴とする請求項１に記載の刈り取り装置。
【請求項３】
前記ケーシングの外周面の前記開口近くに、上下２つのハーフによって形成されていて上下脱着可能に結合して前記ケーシングを掴んでいるバンドと、前記バンドの上ハーフから上へ突出して上周辺から前記刃物及び前記回転台座を遮蔽する扇形のシールドとによって形成されたカバーを備えたことを特徴とする請求項１または２に記載の刈り取り装置。
【請求項４】
前記ケーシングの外周面の前記カバーの後ろに、前記刃物の回転半径より大である半径を有し、前記刃物を保護する保護板が付設されていることを特徴とする請求項１乃至３のいずれか１に記載の刈り取り装置。
【請求項５】
前記回転台座は、後周縁にフランジが径方向に突出しており、
前記刃物は、止め板によって前記回転台座の前側面に固定されており、
前記保護ベーンは、その一端が前記刃物に当たり、他端が前記フランジに隙間をあけて臨むように前記回転台座に外嵌しているブッシングと、前記隙間内の前記回転台座の外周面から延出して前記ケーシングの前記開口端を周辺から遮蔽して保護するように設置形成されている上、その延出の根際が前記ブッシングの前記他端と前記フランジの前面とに挟まれて固定されているフード形のベーン本体とによって形成されたことを特徴とする請求項１乃至４のいずれか１に記載の刈り取り装置。
【考案の詳細な説明】
【技術分野】
【０００１】
本考案は、刈り取り装置に関し、特に木、花卉などの植物の手入れをする園芸に適用される刈り取り装置に関するものである。
【背景技術】
【０００２】
従来、この種の刈り取り装置としては、図１に示すようなものがよく見られる。この刈り取り装置は、前端面に開口１１１があって、その内部に収納部を有するケーシング１１と、ケーシング１１内に収納されており、且つその外側端１２１Ａが開口１１１を通してケーシング１１外へ延伸している回転軸１２１を有する駆動機構１２と、回転軸１２１の外側端１２１Ａに設けられていて回転軸１２１と同時に回転できる回転台座１３と、回転台座１３の前面に取り付けられている刃物１４とを備えてなったものである。操作者が駆動機構１２を起動して刃物１４を回転軸１２１の回転と共に回転させると、植物を刈り取ることができる。
【０００３】
しかしながら、この刈り取り装置を使って植物を刈り取る時に、植物の枝、葉の砕かれた屑がばらばらと飛び散って、開口１１１の周縁と回転台座１３との間の隙間を通してケーシング１１内に侵入することが時々ある。この侵入した屑は、前記隙間ないし開口１１１内に詰まったり回転軸１２１に巻き付いたりするので、清潔にしようとしても極めて困難であるばかりでなく、刈り取り装置の運転故障の要因となってその使用寿命を縮める状態まで至らしめる可能性もある。
【考案の開示】
【考案が解決しようとする課題】
【０００４】
前記欠点に鑑みて、本考案の目的は、飛び散った屑がケーシング内に侵入してその内部のデバイスの運転を妨げることがなく、全体のメンテナンスが容易になる上、その使用寿命が向上される刈り取り装置を提供しようとすることにある。
【課題を解決するための手段】
【０００５】
前記目的を達成するために、本考案は、前端面に開口があって、その内部に収納部を有するケーシングと、前記ケーシング内に収納されており、且つその外側端が前記開口を通して前記ケーシング外へ延伸している回転軸を有する駆動機構と、前記回転軸の前記外側端に設けられていて前記回転軸と同時に回転できる回転台座と、前記回転台座の前面に取り付けられている刃物とを備えた刈り取り装置において、前記回転台座は、その後周縁近くから後方へ前記ケーシングの前記開口端を周辺から遮蔽して保護するように延設されている環状の保護ベーンを更に備えたことを特徴とする刈り取り装置を提供する。
【考案の効果】
【０００６】
前記構造による刈り取り装置は、前記回転台座の後周縁近くから後方へ前記ケーシングの前記開口端を周辺から遮蔽するように延設されている環状の保護ベーンを更に備えたので、前記ケーシングの前記開口端を飛び散った屑から保護することができるため、飛び散った屑がその中に入れなくなる。従って、そのメンテナンスがもちろん容易になる上、その内部のデバイスの運転も侵入した屑などに妨げられなくなり、使用寿命を大幅に向上することが可能である。
【考案を実施するための最良の形態】
【０００７】
以下、本考案を図面に示す実施形態を参照して説明する。
【０００８】
図２は、本考案の刈り取り装置にかかる第１の実施形態の部分分解斜視図である。図３は、同実施形態の要部を示す側面から見た縦断面図である。図２と図３に示すように、第１の実施形態の刈り取り装置は、前端面に開口２３があって、その内部に収納部２１を有するケーシング２と、ケーシング２内に収納されており、且つその外側端３１Ａが開口２３を通してケーシング２外へ延伸している回転軸３１を有する駆動機構３と、回転軸３１の外側端３１Ａに設けられていて回転軸３１と同時に回転できる回転台座４と、回転台座４の前面に取り付けられている刃物５とを備えてなったものである。
【０００９】
また、回転台座４は、更に、その後周縁近くから後方へ、ケーシング２の開口２３端を周辺から遮蔽して保護するように延設されている環状の保護ベーン４４と、開口２３の内周面に沿って挿入されるように延設されている環状のインサートベーン４３を一外一内と備えている。
【００１０】
なお、飛び散った植物の屑が操作者や周辺の人を傷つける危険性を排除するために、カバー６が設けられている。該カバー６は、ケーシング２の外周面の開口２３近くに、上下２つのハーフからなっていて上下脱着可能に結合してケーシング２を掴んでいるバンド６１と、バンド６１の上ハーフから上へ突出して上周辺から刃物５及び回転台座４を遮蔽する扇形のシールド６２とからなっている。
【００１１】
次に、本考案の刈り取り装置にかかる第２の実施形態を説明する。
【００１２】
図４は、本考案の刈り取り装置にかかる第２の実施形態の部分分解斜視図である。図５は、同実施形態の要部を示す側面から見た縦断面図である。図４と図５に示すように、この刈り取り装置の構造は、第１の実施形態とほぼ同じであるが、その相違点は以下叙述するところにある。
【００１３】
即ち、回転台座４は、後周縁にフランジ４１６が径方向に突出しており、刃物５は、止め板４１７によって回転台座４の前側面に固定されており、保護ベーン４４は、その一端４４１ａが刃物５に当たり、他端４４１ｂがフランジ４１６に隙間をあけて臨むように回転台座４に外嵌しているブッシング４４１と、前記隙間内の回転台座４の外周面から延出してケーシング２の開口２３端を周辺から遮蔽して保護するように設置形成されている上、その延出の根際がブッシング４４１の他端４４１ｂとフランジ４１６の前面とに挟まれて固定されているフード形のベーン本体４４２とからなっている。また、ケーシング２の外周面のカバー６の後ろに、刃物５の回転半径より大である半径を有し、刃物５を保護する保護板７が付設されている。該保護板７によっては、この刈り取り装置を使って植物を刈り取る時に例えば石などが雑草に混在する場合、刃物５が石にあたったりして破損してしまうことを避けることができる。
【００１４】
本考案は、前記実施形態に限定されず、同一の創作精神内において種々の変形や応用が可能である。
【産業上の利用可能性】
【００１５】
本考案の刈り取り装置は、全体のメンテナンスが容易になる上、作業中の刃物及びケーシング内の駆動軸に対する保護効果も高く、装置の使用寿命を向上させることができるという利点がある。
【図面の簡単な説明】
【００１６】
【図１】従来の刈り取り装置の一例の要部を示す側面から見た縦断面図。
【図２】本考案の刈り取り装置にかかる第１の実施形態の部分分解斜視図。
【図３】本考案の刈り取り装置にかかる第１の実施形態の要部を示す側面から見た縦断面図。
【図４】本考案の刈り取り装置にかかる第２の実施形態の部分分解斜視図。
【図５】本考案の刈り取り装置にかかる第２の実施形態の要部を示す側面から見た縦断面図。
【符号の説明】
【００１７】
２…ケーシング、２１…収納部、２３…開口、３…駆動機構、３１…回転軸、３１Ａ…（回転軸の）外側端、４…回転台座、４１６…フランジ、４１７…止め板、４３…インサートベーン、４４…保護ベーン、４４１…ブッシング、４４１ａ…（ブッシングの）一端、４４１ｂ…（ブッシングの）他端、４４２…ベーン本体、５…刃物、６…カバー、６１…バンド、６２…シールド、７…保護板。
【図１】
0003112515.tif 000003
【図２】
0003112515.tif 000004
【図３】
0003112515.tif 000005
【図４】
0003112515.tif 000006
【図５】
0003112515.tif 000007